(57)【要約】【課題】スマートフォン１００やラップトップ型パソコンのディスプレイ１０２等にＰＯＰカード等のカード類１０１，１０３，１０４を直接取り付けることができ、かつ低コストで製造できるカードホルダー１０，２０を提供すること【解決手段】前側物品挟着片１４と後側物品挟着片１５の間隔を少し広げて両物品挟着片１４，１５でスマートフォン１００の上端部を弾力的に挟持し、カードホルダー１０，２０をスマートフォン１００に挟着する。そして、前側カード挟持片１２と後側カード挟持片１３でＰＯＰカードやメモ等のカード類１０１を弾力的に挟持することでスマートフォン１００の上端部にカード類１０１を直接取り付ける。【選択図】図４
2018128546.tif 000002
【特許請求の範囲】
【請求項１】
ベース片と、ベース片の上面に立設した前側カード挟持片と、ベース片の上面に立設した後側カード挟持片と、ベース片の下面に垂設した前側物品挟着片と、ベース片の下面に垂説した後側物品挟着片を射出成形によって一体成形したカードホルダーであって、
前側カード挟持片と後側カード挟持片でカード類を弾力的に挟持し、前側物品挟着片と後側物品挟着片でカードホルダーを物品に弾力的に挟着するようにしたことを特徴とするカードホルダー。
【請求項２】
前記後側カード挟持片を、左右一対の縦枠片と両縦枠片を連結する横枠片から成り、両縦枠片と横枠片で開口を区画形成した門型に成形し、
前記前側カード挟持片を前記開口に対面するように設けたことを特徴とする請求項１に記載のカードホルダー。
【請求項３】
前記前側カード挟持片と前記後側カード挟持片との間隔が上に行くほど漸減し、前側カード挟持片の上端部と後側カード挟持片との間隔が略零となるように前側カード挟持片と後側カード挟持片を配置したことを特徴とする請求項１に記載のカードホルダー。
【請求項４】
前記前側物品挟着片をベース片の前端部に設け、
前記後側物品挟着片をベース片の後端部に設け、
前側物品挟着片と後側物品挟着片との間隔が下に行くほど漸減し、かつ前側物品挟着片の下端部と後側物品挟着片の下端部が所定の間隔で対向するように前側物品挟着片と後側物品挟着片を配置したことを特徴とする請求項１に記載のカードホルダー。
【請求項５】
前記後側物品挟着片をベース片の後端部左端と後端部右端に設け、
前側物品挟着片が左の後側物品挟着片と右の後側物品挟着片の間のスペースに対面するように前側物品挟着片と後側物品挟着片を配置したことを特徴とする請求項１に記載のカードホルダー。
【請求項６】
上側カバー片を備え、
前記前側カード挟持片に第１嵌合穴を形成し、
上側カバー片に設けた第１嵌合凸部を第１嵌合穴に嵌合して上側カバー片を前側カード挟持片に取り付けたことを特徴とする請求項１に記載のカードホルダー。
【請求項７】
前記第１嵌合穴を四角形に形成し、前記第１嵌合凸部を断面四角形に形成したことを特徴とする請求項６に記載のカードホルダー。
【請求項８】
下側カバー片を備え、
前記前側物品挟着片に第２嵌合穴を形成し、
下側カバー片に設けた第２嵌合凸部を第２嵌合穴に嵌合して下側カバー片を前側物品挟着片に取り付けたことを特徴とする請求項１に記載のカードホルダー。
【請求項９】
前記第２嵌合穴を四角形に形成し、前記第２嵌合凸部を断面四角形に形成したことを特徴とする請求項８に記載のカードホルダー。
【請求項１０】
前記下側カバー片の背面の下端部に補強横枠を一体に設け、補強横枠と後側物品挟着片の下端部との間隔を前側物品挟着片の下端部と後側物品挟着片の下端部との間隔より短くしたことを特徴とする請求項８に記載のカードホルダー。
【発明の詳細な説明】
【技術分野】
【０００１】
本発明は、カードホルダーに関し、より詳しくはＰＯＰカードや、メモ紙等のカード類をスマートフォンや、ラップトップ型パソコンのディスプレイ等の各種物品に直接取り付けることができるカードホルダーに関する。
【背景技術】
【０００２】
カードホルダーの一形式として、特開２００３−１７７６７１号公報や、特開２００６−１４９９２号公報には、コンビニエンスストアの商品陳列棚に商品名や値段を記載したＰＯＰカードを取り付けることができるカードホルダーが開示されている。
また、実用新案登録第２５７９８５５号公報にはＰＯＰカードをパイプ材に取り付けることができるカードホルダーが開示されている。
【先行技術文献】
【特許文献】
【０００３】
【特許文献１】特開２００３−１７７６７１号公報
【特許文献２】特開２００６−１４９９２号公報
【特許文献３】実用新案登録第２５７９８５５号公報
【発明の概要】
【発明が解決しようとする課題】
【０００４】
上記した従来のカードホルダーは商品陳列棚やパイプ材にＰＯＰカード等を取り付けることができても、スマートフォンやラップトップ型パソコンのディスプレイ等の物品に直接ＰＯＰカードを取り付けるものではない。
本発明はかかる点に鑑み、スマートフォンやラップトップ型パソコンのディスプレイ等にＰＯＰカード等のカード類を直接取り付けることができ、かつ低コストで製造できるカードホルダーを提供することを目的とする。
【課題を解決するための手段】
【０００５】
請求項１に記載の発明は、
ベース片と、ベース片の上面に立設した前側カード挟持片と、ベース片の上面に立設した後側カード挟持片と、ベース片の下面に垂設した前側物品挟着片と、ベース片の下面に垂説した後側物品挟着片を射出成形によって一体成形したカードホルダーであって、
前側カード挟持片と後側カード挟持片でカード類を弾力的に挟持し、前側物品挟着片と後側物品挟着片でカードホルダーを物品に弾力的に挟着するようにしたことを特徴とする。
【０００６】
好ましくは、
前記後側カード挟持片を、左右一対の縦枠片と両縦枠片を連結する横枠片から成り、両縦枠片と横枠片で開口を区画形成した門型に成形し、
前記前側カード挟持片を前記開口に対面するように設ける。
【０００７】
好ましくは、
前記前側カード挟持片と前記後側カード挟持片との間隔が上に行くほど漸減し、前側カード挟持片の上端部と後側カード挟持片との間隔が略零となるように前側カード挟持片と後側カード挟持片を配置する。
【０００８】
好ましくは、
前記前側物品挟着片をベース片の前端部に設け、
前記後側物品挟着片をベース片の後端部に設け、
前側物品挟着片と後側物品挟着片との間隔が下に行くほど漸減し、かつ前側物品挟着片の下端部と  後側物品挟着片の下端部が所定の間隔で対向するように前側物品挟着片と後側物品挟着片を配置する。
【０００９】
好ましくは、
前記後側物品挟着片をベース片の後端部左端と後端部右端に設け、
前側物品挟着片が左の後側物品挟着片と右の後側物品挟着片の間のスペースに対面するように前側物品挟着片と後側物品挟着片を配置する。
【００１０】
好ましくは、
上側カバー片を備え、
前記前側カード挟持片に第１嵌合穴を形成し、
上側カバー片に設けた第１嵌合凸部を第１嵌合穴に嵌合して上側カバー片を前側カード挟持片に取り付ける。
【００１１】
好ましくは、
前記第１嵌合穴を四角形に形成し、前記第１嵌合凸部を断面四角形に形成する。
【００１２】
好ましくは、
下側カバー片を備え、
前記前側物品挟着片に第２嵌合穴を形成し、
下側カバー片に設けた第２嵌合凸部を第２嵌合穴に嵌合して下側カバー片を前側物品挟着片に取り付ける。
【００１３】
好ましくは、
前記第２嵌合穴を四角形に形成し、前記第２嵌合凸部を断面四角形に形成する。
【００１４】
好ましくは、
前記下側カバー片の背面の下端部に補強横枠を一体に設け、補強横枠と後側物品挟着片の下端部との間隔を前側物品挟着片の下端部と後側物品挟着片の下端部との間隔より短くする。
【発明の効果】
【００１５】
本発明にかかるカードホルダーは、前側カード挟持片と後側カード挟持片でＰＯＰカードやメモカードを弾力的に挟持し、前側物品挟着片と後側物品挟着片でスマートフォンや、ラップトップ型パソコンのティスプレイにカードホルダーを弾力的に挟着できる。そのため、各種カード類をスマートフォン等の各種物品に直接取り付けることができる。
しかして、本発明に係るカードホルダーは射出成形によって前側カード挟持片、後側カード挟持片、前側物品挟着片、後側物品挟着片等の構成要素を成形するので、低コストで製造できる。
【図面の簡単な説明】
【００１６】
【図１】本発明の第１実施例に係るカードホルダーを示す正面側から見た斜視図である。
【図２】同カードホルダーを示す背面側から見た斜視図である。
【図３】同カードホルダーを示す側面図である。
【図４】同カードホルダーを取り付けたスマートフォンを示す斜視図である。
【図５】同カードホルダーを取り付けたスマートフォンを示す部分側面図である。
【図６】同カードホルダーを取り付けたラップトップ型パソコンを示す斜視図である。
【図７】本発明の第２実施例に係るカードホルダーを示す正面側から見た斜視図である。
【図８】同カードホルダーを示す背面側から見た斜視図である。
【図９】上側カバー片と第１下側カバー片を装着した同カードホルダーを示す斜視図である。
【図１０】上側カバー片と第１下側カバー片を装着した同カードホルダーを示す断面図である。
【図１１】上側カバー片と第２下側カバー片を装着した同カードホルダーを示す斜視図である。
【図１２】上側カバー片と第２下側カバー片を装着した同カードホルダーを示す断面図である。
【図１３】上側カバー片を示す斜視図である。
【図１４】第１連結ピンを示す斜視図である。
【図１５】第２下側カバー片を示す斜視図である。
【図１６】第２連結ピンを示す斜視図である。
【図１７】第２下側カバー片を示す斜視図である。
【実施例１】
【００１７】
以下に本発明を図面に基づき説明する。図１〜図３には本発明の第１実施例に係るカードホルダー１０が示されている。当該カードホルダー１０は、横長長方形のベース片１１と、ベース片１１の上面に立設した略正方形の前側カード挟持片１２と、ベース片１１の上面に立設した後側カード挟持片１３と、ベース片１１の下面に垂設した縦長長方形の前側物品挟着片１４と、ベース片１１の下面に垂説した左右一対の後側物品挟着片１５を備え、各片１１〜１５が射出成形によって一体成形されている。
【００１８】
後側カード挟持片１３は、左右一対の縦枠片１３ａと両縦枠片１３ａを連結する横枠片１３ｂら成る門型形状を有し、前側カード挟持片１２が、後側カード挟持片１３の両縦枠片１３ａと横枠片１３ｂで区画される開口１３ｃに対面するように設けられている。図３に示すように、前側カード挟持片１２と後側カード挟持片１３は、両者の間隔がベース片１１から上に行くほど漸減し、前側カード挟持片１２の上端部と後側カード挟持片１３の間隔が略零となるように配置されている。また、後側カード挟持片１３の上端部には、後側に折り曲がる補強横枠片１３ｄが一体に成型されている。
【００１９】
右側の後側物品挟着片１５は、ベース片１１の後端部の右端に設けられ、左側の後側物品挟着片１５は、ベース片１１の後端部の左端に設けられている。前側物品挟着片１４は、左の後側物品挟着片１５と右の後側物品挟着片１５の間のスペースに対面するように、ベース片１１の前端部中央に設けられている。前側物品挟着片１４と後側物品挟着片１５は、その間隔がベース片１１から下に行くほど漸減するように設けられている。また、前側物品挟着片１４の下端部と後側物品挟着片１５の下端部が、所定の間隔で対向するように設けられている。この間隔は、例えばスマートフォンやラップトップ型パソコンのディスプレイの厚みに適合するように設定されている。
【００２０】
第１実施例に係るカードホルダー１０の構造は、以上の通りであって、次にその使用方法を説明する。
図４及び図５に示すように、前側物品挟着片１４と後側物品挟着片１５の間隔を少し広げて両物品挟着片１４，１５でスマートフォン１００の上端部を弾力的に挟持し、カードホルダー１０をスマートフォン１００に挟着する。そして、前側カード挟持片１２と後側カード挟持片１３でＰＯＰカードやメモ等のカード類１０１を弾力的に挟持することで、スマートフォン１００の上端部にカード類１０１を直接取り付ける。
【００２１】
第１実施例に係るカードホルダー１０によれば、射出成形によってベース片１１、前側カード挟持片１２、後側カード挟持片１３、前側物品挟着片１４、後側物品挟着片１５等の構成要素を成形しているので、低コストで製造できる。また、成形に用いた樹脂材料の有する弾力によって、カード類が前側カード挟持片１２と後側カード挟持片１３で弾力的に挟持され、かつ前側物品挟着片１４と後側物品挟着片１５でスマートフォンが弾力的に挟持される。そのため、カードホルダー１０からカード類が脱落し難く、またカードホルダー１０がスマートフォン１００から脱落し難い。
【００２２】
とりわけ、前側カード挟持片１２が、開口１３ｃに対面するように設けられるとともに、前側カード挟持片１２と後側カード挟持片１３の間隔がベース片から上に行くほど漸減し、前側カード挟持片１２の上端部と後側カード挟持片１３の間隔が略零となるように配置されているので、カード類が前側カード挟持片１２と後側カード挟持片１３でしっかりと挟持される。
また、前側物品挟着片１４と後側物品挟着片１５は、その間隔がベース片１１から下に行くほど漸減するように設けられているとともに、前側物品挟着片１４の下端部と後側物品挟着片１５の下端部の間隔が、所定の間隔で対向するように設けられているので、カードホルダーを挟着できるスマートフォン等の物品の厚みに幅をもたせることができる。
【００２３】
第１実施例に係るカードホルダー１０は、スマートフォン１００に装着できるだけでなく、図６に示すように、ラップトップ型のパソコンのディスプレイ１０２に装着することも可能である。ディスプレイ１０２の上端部に複数個のカードホルダー１０を挟着することにより、大小さまざまなサイズのカード類１０３，１０４をパソコンのディスプレイ１０２に直接取り付けることができるので、パソコンの使い勝手も良くなる。
【実施例２】
【００２４】
本発明の第２実施例に係るカードホルダー２０を図７〜図１２に示す。図７及び図８に示すように、このカードホルダー２０の前側カード挟持片１２の背面には、円形の第１嵌合凹部１２ａと、第１嵌合凹部１２ａの中心部に４角形の第１嵌合穴１２ｂが形成され、第１嵌合穴１２ｂは、前側カード挟持片１２を貫通している。また、前側物品挟着片１４の背面には、円形の第２嵌合凹部１４ａと、第２嵌合凹部１４ａの中心部に４角形の第２嵌合穴１４ｂが形成され、第２嵌合穴１４ｂは前側物品挟着片１４を貫通している。
【００２５】
図９及び図１０に示すように、カードホルダー２０の前側カード挟持片１２には、第１連結ピン１６で上側カバー片２１が装着され、前側物品挟着片１４には、第２連結ピン１７で第１下側カバー片２２が装着され、又は図１１及び図１２に示すように、カードホルダー２０の前側物品挟着片１４に第２連結ピン１７で第２下側カバー片２３が装着される。
なお、第２実施例に係るカードホルダー２０の他の構成は、第１実施例に係るカードホルダー１０と同じであるので、同一の構成要素に同一の符号を付して説明を省略する。
【００２６】
図１３に示すように、上側カバー片２１は横長の長方形を有し、背面の外周縁に沿って上下の補強横枠２１ａ，２１ｂと、左右一対の補強縦枠２１ｃ及び補強縦枠２１ｃの内側に左右一対の補強縦枠２１ｄが凸設されている。また、上側カバー片２１の背面の中央下部には、断面四角形の第１嵌合凸部２１ｅが形成され、第１嵌合凸部２１ｅの中心部に断面円形の第１ピン穴２１ｆが形成されている。
【００２７】
図１４に示すように、第１連結ピン１６は、前側カード挟持片１２の第１嵌合凹部１２ａに嵌合する円形の第１ヘッド部１６ａと、第１ヘッド部１６ａの中心に断面円形の第１ピン１６ｂが成形されている。上側カバー片２１は第１嵌合凸部２１ｅを前側カード挟持片１２の第１嵌合穴１２ｂに嵌合し、第１連結ピン１６の第１ヘッド部１６ａを第１嵌合凹部１２ａに嵌合し、第１連結ピン１６の第１ピン１６ｂを上側カバー片２１の第１ピン穴２１ｆに嵌合することにより、前側カード挟持片１２の正面に装着されている。上側カバー片２１を前側カード挟持片１２に装着したとき、前側カード挟持片１２が上側カバー片２１の左右の補強縦枠２１ｄの間に挟着され、かつ、上側カバー片２１の上端縁の補強横枠２１ａが前側カード挟持片１２の上端部より上方で、後側カード挟持片１３の横枠片１３ｂに当接する。
【００２８】
図１５に示すように、第１下側カバー２２片は横長の長方形を有し、背面に上側の補強横枠２２ａと下縁の補強横枠２２ｂ、左右両端の補強縦枠２２ｃ，２２ｄ及び補強縦枠２２ｃ，２２ｄの内側に左右一対の補強縦枠２２ｅが凸設されている。また、上側カバー片２２の背面の中央部に断面四角形の第２嵌合凸部２２ｆが形成され、第２嵌合凸部２２ｆの中心部に断面円形の第２ピン穴２２ｇが形成されている。
図１６に示すように、第２連結ピン１７は、前側物品挟着片１４の第２嵌合凹部１４ａに嵌合する円形の第２ヘッド部１７ａと、第２ヘッド部１７ａの中心に断面円形の第２ピン１７ｂが成形されている。
【００２９】
第１下側カバー片２２は第２嵌合凸部２２ｆを前側物品挟着片１４の第２嵌合穴１４ｂに嵌合し、第２連結ピン１７の第２ヘッド部１７ａを第２嵌合凹部１４ａに嵌合し、第２連結ピン１７の第２ピン１７ｂを第１下側カバー片２２の第２ピン穴２２ｇに嵌合することにより、前側物品挟着片１４の正面に装着されている。第１下側カバー片２２の下縁の補強横枠２２ｂは、第１下側カバー片２２を前側物品挟着片１４に装着したとき、前側物品挟着片１４の下端部よりわずかに下方に位置し、かつ下縁の補強横枠２２ｂと後側物品挟着片１５の下端部との間隔は、前側物品挟着片１４の下端部と後側物品挟着片１５の下端部との間隔と略同じになる。
【００３０】
図１７に示すように、第２下側カバー片２３は、下縁の補強横枠２３ａの幅寸法が第１下側カバー片の下縁の補強横枠２２ｂと異なるだけで、他の構成は同じである。第２下側カバー片２３の下縁の補強横枠２３ａは、第２下側カバー片２３を前側物品挟着片１４に装着したとき、前側物品挟着片１４の下端部よりわずかに下方に位置し、かつ下縁の補強横枠２３ａと後側物品挟着片１５の下端部との間隔が前側物品挟着片１４の下端部と後側物品挟着片１５の下端部との間隔より狭くなる。
なお、第２下側カバー片２３の他の構成は第１下側カバー片２２と同じであるので、同一の構成要素に同一の符号を付して説明を省略する。
【００３１】
第２実施例に係るカードホルダー２０の構成は以上の通りであって、両カード挟持片１２，１３でカード類を挟持し、両物品挟着片１４，１５でスマートフォンや、パソコンのディスプレイ等の物品にカードホルダー２０を挟着する。
しかして、本実施例に係るカードホルダー２０では、上側カバー片２１や、第１下側カバー片２２，第２下側カバー片２３の表面に文字、数字、図形等を印刷表示し、あるいは上側カバー片２１や、第１下側カバー片２２、第２下側カバー片２３の色彩をカードホルダー２０と異なる色彩にすることで、消費者の関心を引くことができる。
上側カバー片２１や、第１下側カバー片２２、第２下側カバー片２３は、断面四角形の第１嵌合凸部２１ｅ、第２嵌合凸部２２ｆと第１嵌合穴１２ｂ、第２嵌合穴１４ｂを介してカードホルダー２０に装着されるので、カードホルダー２０に対して回ったり、ずれたりすることはなく、装着位置が維持される。
また、第２下側カバー片２３を装着することにより、下縁の補強横枠２３ａと後側物品挟着片１５の下端部との間隔が前側物品挟着片１４の下端部と後側物品挟着片１５の下端部との間隔より狭くなるので、より薄手のスマートフォンや、ディスプレイにカードホルダー２０を装着できる。
【符号の説明】
【００３２】
１０，２０…カードホルダー
１１…ベース片
１２…前側カード挟持片
１２ａ…第１嵌合凹部
１２ｂ…第１嵌合穴
１３…後側カード挟持片
１３ａ…縦枠片
１３ｂ…横枠片
１３ｃ…開口
１３ｄ…補強横枠片
１４…前側物品挟着片
１４ａ…第２嵌合凹部
１４ｂ…第２嵌合穴
１５…後側物品挟着片
１６…第１連結ピン
１７…第２連結ピン
２１…上側カバー片
２１ｅ…第１嵌合凸部
２２…第１下側カバー片
２２ｆ…第２嵌合凸部
２３…第２下側カバー片
１００…スマートフォン
１０１，１０３，１０４…カード類
１０２…ディスプレイ
【図１】
2018128546.tif 000003
【図２】
2018128546.tif 000004
【図３】
2018128546.tif 000005
【図４】
2018128546.tif 000006
【図５】
2018128546.tif 000007
【図６】
2018128546.tif 000008
【図７】
2018128546.tif 000009
【図８】
2018128546.tif 000010
【図９】
2018128546.tif 000011
【図１０】
2018128546.tif 000012
【図１１】
2018128546.tif 000013
【図１２】
2018128546.tif 000014
【図１３】
2018128546.tif 000015
【図１４】
2018128546.tif 000016
【図１５】
2018128546.tif 000017
【図１６】
2018128546.tif 000018
【図１７】
2018128546.tif 000019